(57)【要約】【課題】分解することができるとともに重量のある薄型モニタ装置を支持することができ、梱包材に格納されたときの梱包嵩を小さくして、保管及び運搬のコストを低減する。【解決手段】モニタ本体と、前記モニタ本体を支持するスタンド部とを備え、前記スタンド部が前記モニタ本体に装着される脚部と、前記脚部を支持する前記ベース部とを有して、前記ベース部は左部材と右部材に分割可能であり、前記左部材及び前記右部材の内部には前後に伸びる梁部材を備えており、前記左部材及び前記右部材の内部に配置されている梁部材と前記脚部とをねじにて共締めすることで前記ベース部と前記脚部とが固定される薄型モニタ装置。【選択図】図５
2009080234.tif 000002
【特許請求の範囲】
【請求項１】
モニタ本体と、
前記モニタ本体を支持し、前記モニタ本体に装着される脚部及び前記脚部を支持するベース部を有するスタンド部と、を備えた薄型モニタ装置であって、
前記ベース部は左部材と右部材に分割可能であり、前記左部材及び前記右部材の内部には前後に伸びる梁部材を備えており、
前記左部材及び前記右部材の内部に配置されている梁部材と前記脚部とをねじにて共締めすることで前記ベース部と前記脚部とが固定されることを特徴とする薄型モニタ装置。
【請求項２】
前記脚部の前記モニタ本体と反対側の端部には、前記端部を覆うネック部を備えており、前記左部材及び前記右部材の梁部材と前記ネック部との少なくとも一部が重なるように形成されており、前記梁部材と前記ネック部とがねじにて共締めされることで前記ベース部と前記脚部とが固定されている請求項１に記載の薄型モニタ装置。
【請求項３】
前記脚部は金属を折り曲げて形成されるものであり、
矩形状の正面板と、
前記正面板の両端部が背面側に折り曲げられることで形成されている側面板と、
前記正面板及び前記側面板の前記モニタ本体と反対側の端部が折り曲げられて形成された固定部とを有しており、
前記側面部の先端に形成された固定部と前記梁部材とがねじにて共締めされている請求項１又は請求項２に記載の薄型モニタ装置。
【請求項４】
前記正面板の固定部は３分割されており、中央は背面側に、両端は前面側に折り曲げられている請求項３に記載の薄型モニタ装置。
【請求項５】
前記左部材又は前記右部材の一方は、分割端面より突出する係合凸部を有しており、
前記左部材又は前記右部材の他方は、分割端面に前記係合凸部が挿入される係合凹部を有している請求項１から請求項４のいずれかに記載の薄型モニタ装置。
【発明の詳細な説明】
【技術分野】
【０００１】
本発明は、コンパクトに収納することができるスタンドを備えた薄型モニタ装置に関する。
【背景技術】
【０００２】
近年、ＰＣ用モニタやＴＶ受像機等の映像を表示する表示装置して、省スペース、軽量な液晶表示装置に代表される薄型モニタ装置が多く使用されている。前記薄型モニタ装置の多くは、モニタ本体と、前記モニタ本体と連結されたスタンド部とを有している。前記スタンド部を用いて設置部の水平面に配置することで、前記モニタ本体は正立した状態を維持して設置部上に配置される。
【０００３】
前記スタンド部は、前記モニタ本体と連結された脚部と、前記脚部の前記モニタ本体と反対側に連設されたベース部とを有している。前記脚部はモニタ本体の下部より突出された柱状の部材である。前記ベース部は前記モニタ本体が前後方向に倒れるのを防ぐために、前後に伸びる平板形状を有している。
【０００４】
前記ベース部と前記脚部とは所定の角度をなすように取り付けられる。前記スタンド部を備えた薄型モニタ装置をダンボール等の梱包材で梱包する場合、前記スタンド部の前後方向長さ以上の厚さのあるものが必要であり、それだけ、無駄な空間が必要になる。前記薄型モニタ装置を流通させるときに、梱包時の厚さが厚いと、搬送に多くのコストがかかる。
【０００５】
前記ベース部と前記脚部とは所定の角度をなすように取り付けられる。前記スタンド部を備えた薄型モニタ装置をダンボール等の梱包材で梱包する場合、前記スタンド部の前後方向長さ以上の厚さのあるものが必要であり、それだけ、無駄な空間が必要になる。前記薄型モニタ装置を流通させるときに、梱包時の厚さが厚いと、搬送に多くのコストがかかる。
【０００６】
そこで、梱包時の厚さを薄くするために、前記スタンド部が取り外し可能となるように形成されているものがある。梱包時の厚さの原因となる前記スタンド部を取り外して、前記モニタ本体と重ねて梱包することで、梱包時の厚さを薄くすることができる。
【０００７】
また、特開２００２−３１１８５２号公報には、第１ベースと、前記第１ベースに着脱可能な第２ベースと有する平面モニタのスタンドが記載されている。第２ベースを第１ベースより引き出すことで、設置面に接触する接触面積を大きくすることができるとともに、前記第２ベースを前記第１ベースの内部に収納することで、前記スタンドの体積を小さくすることが可能である。これにより、平面モニタを梱包したときの、梱包材の嵩を小さくすることができる。
【０００８】
【特許文献１】特開２００２−３１１８５２号公報
【発明の開示】
【発明が解決しようとする課題】
【０００９】
分解可能のスタンド部を有する薄型モニタ装置の場合であっても、前記ベース部と前記脚部とが備えられており、前記ベース部及び前記脚部はそれぞれ、３次元的に異なった方向に伸びた部材である。前記スタンド部を分解した場合であっても、梱包時の厚さが薄くなりにくい場合もある。そこで、前記脚部を折り曲げることができるように形成されたものもあるが、ヒンジ等の折り曲げ部を形成しなくてはならない。また、視聴者に対する前記液晶表示装置の角度が一定になるように、折り曲げ部には特別に固定構造を形成しなくてはならず、形状が複雑になったり、（折り曲げられないものに比べて）より多くの部品が必要であったりして、製造及び組み立てにコストがかかる。
【００１０】
また、特開２００２−３１１８５２号公報に記載された平面モニタのスタンドの場合、前記第１ベースに前記第２ベースを収納することができるので、前記スタンドの大きさを小さくすることが可能であるが、前記平面モニタが背面側に倒れた状態で保持されると、前記平面モニタの自重による力の多くが前記第２ベースに作用する。前記第１ベースと前記第２ベースとは、引き出すことができるように形成されているものであるので、前記平面モニタの自重による力を支えるだけの十分な強度を有さないこともありえる。また、近年、前記平面モニタが大きくなる傾向にあり、前記平面モニタの重量も大きくなっており、前記第２ベースでは、前記平面モニタを安定して支持できない場合もある。
【００１１】
そこで本発明は、分解することができるとともに重量のある薄型モニタ装置を支持することができ、梱包材に格納されたときの梱包嵩を小さくして、保管及び運搬のコストを低減することができる薄型モニタ装置を提供することを目的とする。
【課題を解決するための手段】
【００１２】
上記目的を達成するために本発明は、モニタ本体と、前記モニタ本体を支持し、前記モニタ本体に装着される脚部及び前記脚部を支持するベース部を有するスタンド部と、を備えた薄型モニタ装置であって、前記ベース部は左部材と右部材に分割可能であり、前記左部材及び前記右部材の内部には前後に伸びる梁部材を備えており、前記左部材及び前記右部材の内部に配置されている梁部材と前記脚部とをねじにて共締めすることで前記ベース部と前記脚部とが固定されることを特徴とする。
【００１３】
この構成によると、薄型モニタ装置を梱包したときに、前記薄型モニタ装置の厚さ方向に嵩高くなる原因のひとつであるスタンド部を分解することができるので、前記薄型モニタ装置の梱包嵩を小さくすることができる。
【００１４】
前記薄型モニタ装置の保管、運搬時の保管場所やコンテナ等への積み込み量を増やすことが可能である。このことにより、保管、運搬等のコストを低減することが可能である。
【００１５】
上記構成において、前記脚部の前記モニタ本体と反対側の端部には、前記端部を覆うネック部を備えており、前記左部材及び前記右部材の梁部材と前記ネック部との少なくとも一部が重なるように形成されており、前記梁部材と前記ネック部とをねじにて共締めすることで前記ベース部と前記脚部とが固定されている。
【００１６】
前記ネック部を備えていることで、前記脚部と前記ベース部との連結部がむき出しになるのを抑制することが可能である。これにより、不用意にねじに触ってしまって前記スタンド部が傾いてしまったり、前記薄型モニタ装置が倒れてしまったりする不具合の発生を抑制することが可能である。
【００１７】
上記構成において、前記脚部は金属を折り曲げて形成されるものであり、矩形状の正面板と、前記正面板の両端部が背面側に折り曲げられることで形成されている側面板と、前記正面板及び前記側面板の前記モニタ本体と反対側の端部が折り曲げられて形成された固定部とを有しており、前記側面部の先端に形成された固定部と前記梁部材とをねじにて共締めされているものであってもよい。
【００１８】
この構成によると、スタンド部の梁部材と金属製の脚部とを直接ねじ止めするので、スタンドの構造体を強固なものとすることが可能である。これにより、前記モニタ本体の重量が大きい場合であっても、安定して支持することが可能である。
【００１９】
上記構成において、前記正面板の固定部は３分割されており、中央は背面側に、両端は前面側に折り曲げられているものであってもよい。この構成によると、前記脚部を寄り安定させることが可能である。
【００２０】
上記構成において、前記左部材又は前記右部材の一方は、分割端面より突出する係合凸部を有しており、記左部材又は前記右部材の他方は、分割端面に前記係合凸部が挿入される係合凹部を有しているものであってもよい。
【００２１】
この構成によると、係合凸部と係合凹部を係合させることで組み立てられるので、組み立てが容易である。
【発明の効果】
【００２２】
本発明によると、分解することができるとともに重量のある薄型モニタ装置を支持することができ、梱包材に格納されたときの梱包嵩を小さくして、保管及び運搬のコストを低減することができる薄型モニタ装置を提供することができる。
【発明を実施するための最良の形態】
【００２３】
以下に本発明の実施形態を図面を参照して説明する。図１は薄型モニタ装置の一例である液晶表示装置の正面側から見た斜視図であり、図２は図１に示す液晶表示装置の背面側から見た斜視図である。図１及び図２に示すように、液晶表示装置Ａは、少なくとも、モニタ本体１及びスタンド２を備えている。図１に示すようにモニタ本体１はスタンド２にて正立した状態で支持されている。なお、以下の説明においては、別途示さない限り、液晶表示装置Ａの方向（左右方向、上下方向）は正立状態及び背面側から正面側に向かった状態を基準として説明を行うこととする。
【００２４】
モニタ本体１は、フロントキャビネット１１と、リヤキャビネット１２と、液晶モジュール１３とを備えている。フロントキャビネット１１は、モニタ本体１の正面側の外装部材であり、矩形状の枠体である。フロントキャビネット１１はそれには限定されないが、ここでは樹脂の一体成型で製造される部材である。フロントキャビネット１１には、正面側に矩形状の貫通孔である窓部１１０が形成されている。
【００２５】
リヤキャビネット１２はモニタ本体１の背面側の外装部材であり、フロントキャビネット１１の背面側に嵌合される。リヤキャビネット１２もフロントキャビネット１１と同様、樹脂の一体成型にて製造されるものである。フロンとキャビネット１１とリヤキャビネット１２とで囲まれる空間の内部に、液晶モジュール１３が配置されている。液晶モジュール１３は外部からの信号を受けて、表示部に映像を表示するものである。液晶モジュール１３は正面側の有効ディスプレイ領域１３０がフロントキャビネット１１の窓部１１０より露出するように、フロントキャビネット１１とリヤキャビネット１２の間の空間に配置されている。
【００２６】
図３は図１に示す液晶表示装置のスタンドの斜視図であり、図４は図３に示すスタンドの平面図であり、図５は図３に示すスタンドを分解した状態を示す図である。なお、図４では図中上が正面側であり、図５では図中左が正面側となるように示されている。スタンド２は脚部２１、ネック部２２と、ベース部３とを有している。脚部２１はモニタ本体１のリヤキャビネット１２に固定されているものである。脚部２１は矩形状の金属板である正面板２１１と、正面板２１１の両側端に後方に折り曲げて形成された矩形状の側面板２１２と、正面板２１１及び側面板２１２の下端部を折り曲げて形成された固定部２１３とを有している。
【００２７】
固定部２１３は正面板２１１の下端部と連結するものが３個、側面板２１２の下端部と連結するものが１個ずつの合計５個形成されている。正面板２１１と連結されている３個の固定部２１３は中央のものが後ろに、左右両側のものが正面側に折り曲げられている。また、側面板２１２と連結されている固定部２１３は脚部２に対して外側に折り曲げられている。各固定部２１３は同一平面上に配置されている。固定部２１３には、ねじ孔２１４が形成されており、ねじ孔２１４には雌ねじが形成されている。
【００２８】
ネック部２２は長方形状の底部２２１と、底部２２１よりも小さな長方形形状に形成されている上面部２２２とを有している。ネック部２２は底部２２１から上面部２２２に向かって曲面状に絞られて形成されている。ネック部２２は中空に形成されており、脚部２１の正面板２１１及び側面板２１２が上面部２２２を貫通されるとともに、固定部２１３がネック部２２の中空内に配置されている。ネック部２２には外部から内部に貫通するねじ止め用の貫通孔を有しており、貫通孔にねじを貫通させ、ねじが脚部２１のねじ孔２１４と螺合されることで、脚部２１とネック部２２とが固定されている。
【００２９】
ベース部３はネック部２２の底部２２１と連結固定されている。図５に示すように、左右方向の中心線でベース部３は左部材３１と、右部材３２とに分解される。ここで左部材３１を主に説明するが、右部材３２も同様の形状を有している。また、左部材３１と右部材３２とで異なる形状については、別途説明する。
【００３０】
左部材３１は半円状の部材であり、直線状に形成された右部材３２との連結部３１０にネック部２２の端部が嵌合される嵌合凹欠３１１を備えている。左部材３１は内部に空間を有しており、内部空間の中には金属で形成された梁部材３１２が配置されている。梁部材３１２には複数個（ここでは４個）のねじ孔が備えられている。ねじ孔は内壁に雌ねじが形成されている。左部材３１の外側からねじを挿入し、梁部材３１２のねじ孔に螺合させて梁部材３１２を左部材３１に固定する。梁部材３１２を取り付けることで、左部材３１の曲げ強度を高めることができる。右部材３２も同様の形状を有している。
【００３１】
図５に示すように、左部材３１の直線状の分割端部には、分割端部より突出された係合突出部３１３が形成されている。左部材３１には、突出部３１３が嵌合凹欠３１１を挟んで２個備えられている。また、右部材３２の直線状の分割端部には左部材３１の係合突出部３１３が挿入される係合凹孔３２３が形成されている。
【００３２】
左部材３１の係合凹欠３１１と右部材３２の係合凹欠３２１でネック部３３の底部２２１と係合させる。このとき、左部材３１の突出部３１３が右部材３２の係合凹孔３２３に挿入されることで、左部材３１と右部材３２とが組み合わされる。このとき、梁部材３１２及び３２２のねじ孔の長手方向中央の近くのねじ孔と、固定部２１３のねじ孔２１４とを共通のねじで共締めして、ネック部２２とベース部３とが接合される。
【００３３】
上述したように、スタンド２のベース部３を分解することができるので、液晶表示装置Ａに運搬／保管のための梱包がなされたときに、その梱包材の厚さを小さくすることができる。これにより、梱包材自体を小型化でき、省資源化が可能である。また、梱包時の大きさを小さくすることができるので、保管場所や運搬時のコンテナへの積み込み個数を増やすことができ、保管場所、コンテナの無駄を省き、低コスト化及び省資源化が可能である。
【００３４】
上記実施例では、脚部２１の固定部２１３と、ネック部２２と、ベース部３の梁部材３１２、３２２とを共締めするものが示されて。しかしながら、これに限定されるものではなく、固定部２１３とネック部２２、梁部材３１２、３２２とネック部２２とを異なるねじで固定するものとしてもよい。
【００３５】
上記実施例においては、薄型モニタ装置の一例として液晶表示装置を挙げている。しかしながら、これに限定されるものではなく、プラズマディスプレイ装置等厚みが小さな映像表示装置に広く採用することが可能である。
【００３６】
以上、発明の実施形態を具体的に説明したが、本発明は上記実施形態に限定するものではなく、その要旨を逸脱しない範囲で種々変更可能である。
【産業上の利用可能性】
【００３７】
本発明は、液晶表示装置やプラズマディスプレイ装置等の薄型表示装置に適用可能である。
【図面の簡単な説明】
【００３８】
【図１】薄型モニタ装置の一例である液晶表示装置の正面側から見た斜視図である。
【図２】図１に示す液晶表示装置の背面側から見た斜視図である。
【図３】図１に示す液晶表示装置のスタンドの斜視図である。
【図４】図４は図３に示すスタンドの平面図である。
【図５】図３に示すスタンドを分解した状態を示す図である。
【符号の説明】
【００３９】
１  モニタ本体
１１  フロントキャビネット
１２  リヤキャビネット
１３  液晶モジュール
２  スタンド
２１  脚部
２１１  正面板
２１２  側面板
２１３  固定部
２１４  ねじ孔
２２  ネック部
２２１  底部
２２２  上面部
３  ベース部
３１  左部材
３２  右部材
【図１】
2009080234.tif 000003
【図２】
2009080234.tif 000004
【図３】
2009080234.tif 000005
【図４】
2009080234.tif 000006
【図５】
2009080234.tif 000007